(57)【特許請求の範囲】
【請求項１】
ディスプレイ装置であって、
ハウジングを有し、
前記ハウジングに連結され、フレキシブルであり且つ前記ハウジング内に丸く巻くことができ或いはハウジングに巻き付けることができるスクリーンを有し、前記スクリーンは、データをグレースケールで前記スクリーンの第１の部分上に表示するよう構成されており、
前記ハウジングに連結された少なくとも１つの光源を有し、前記少なくとも１つの光源は、カラーコンテントを前記スクリーンの第２の部分上に投射するよう構成されている、ディスプレイ装置。
【請求項２】
前記スクリーンは、反射型である、請求項１記載のディスプレイ装置。
【請求項３】
前記少なくとも１つの光源からの光を前記スクリーンへの投射点まで案内するよう構成された光ガイド又は光学素子を更に有する、請求項１記載のディスプレイ装置。
【請求項４】
前記スクリーンは、電気泳動型である、請求項１記載のディスプレイ装置。
【請求項５】
前記スクリーンは、光を拡散反射するよう構成されている、請求項１記載のディスプレイ装置。
【請求項６】
一層の光を前記ディスプレイの一部に差し向けることにより前記ディスプレイの前記一部を強調表示すること及び前記スクリーンから反射された光を検出し、一層の光を照度が減少したスクリーンの部分に差し向けることのうちの一方を行うよう構成された光学素子を更に有する、請求項１記載のディスプレイ装置。
【請求項７】
前記少なくとも１つの光源は、前記スクリーンが前記ハウジングから巻き出されると前記スクリーンを照明するよう構成されている、請求項１記載のディスプレイ装置。
【発明の詳細な説明】
【技術分野】
【０００１】
本発明は、丸く巻くことができ（以下、「ローラブル（rollable）型」という場合がある）又は巻き付けることができる（以下、「ラッパブル（wrappable ）型」という場合がある）ディスプレイ装置、例えば前方照明方式の反射型でローラブル型のディスプレイ装置に関する。
【背景技術】
【０００２】
典型的には、透過型ディスプレイは、背面照明システムで照明され、この場合、背面照明源からの光は、透過型ディスプレイを通って見る人に向かう。反射型ディスプレイは、非透過型（即ち、反射型）ディスプレイによるバックライトの遮断に起因して従来型背面照明システムを用いることができない。したがって、前方照明システムは、反射型ディスプレイ用に開発された。これら前方照明システムは、反射型ディスプレイの縁部のところに設けられた光源及び例えばディスプレイの頂部に設けられた光ガイド付きの光案内システムを有する。光ガイドは、その表面上に設けられていて、光を反射型ディスプレイに向かって外部結合する外部結合構造体を有している。このように、光は、表示領域全体にわたって一様に拡げられ、見る人に向かって反射される。
【０００３】
反射型ディスプレイ用の前方照明システムの性能は、例えば反射型ディスプレイから最初に反射されるのではなく見る人に向かう直接的な光の望ましくない外部結合によるコントラスト劣化に起因して、透過型ディスプレイ用の背面照明システムと比較して貧弱である。
【０００４】
現在主流となっているディスプレイ技術である反射型液晶ディスプレイ（ＬＣＤ）に関し、現在用いられている前方照明システムの良好な代替手段は、存在しない。１つの理由は、光をディスプレイ表面に対してほぼ垂直の角度で反射型ＬＣＤ中に結合しなければならないからである。他の点では、グレーレベルシフトが、ＬＣＤ効果に固有の観察角上の問題に起因して生じる。
【０００５】
電気泳動型ディスプレイに関しては状況は異なっている。電気泳動型ディスプレイの表示効果には、ＬＣＤディスプレイと関連した観察角上の問題が無い。それどころか、電気泳動型ディスプレイは、光のほぼ完全な（ランバーティアン）拡散散乱体である。したがって、前方光は、表示面に対して垂直な角度で電気泳動型ディスプレイ中に結合される必要はない。これにより、フレキシブルディスプレイであるのが良い電気泳動型ディスプレイのための良好な前方照明システムを製作する新たな方法が拓かれる。従来型電気泳動セルが、ユアサ（Yuasa）に付与された米国特許第６，９０６，８５１号明細書及びカワイ（Kawai）名義の米国特許出願公開第２００５／０１７９８５２号明細書に記載されており、これら特許文献の各々を参照により引用し、その記載内容全体を本明細書の一部とする。
【０００６】
ローラブル型又はラッパブル型のディスプレイを含むフレキシブルディスプレイは、一層普及することが期待されている。ラッパブル型又はローラブル型ディスプレイは、フレキシブル基板、例えばポリマー基板に被着され又はこれら相互間にサンドイッチされた種々のディスプレイ要素、例えばＬＣＤ素子又は有機発光ディスプレイ（ＯＬＥＤ）素子を用いて製造できる。発光ポリマーは、種々の利点を提供し、例えば、観察角及びコントラストが優れており、しかも電力消費量が少ない。
【先行技術文献】
【特許文献】
【０００７】
【特許文献１】米国特許第６，９０６，８５１号明細書
【特許文献２】米国特許出願公開第２００５／０１７９８５２号明細書
【発明の概要】
【発明が解決しようとする課題】
【０００８】
反射型でラッパブル型又はローラブル型のディスプレイは、従来型液晶（ＬＣ）で用いられている従来型前方照明システムを満足の行く程度には使用することができない。というのは、前方照明システムの厚さにより、前方照明方式のディスプレイの全厚が増大するからである。巻き付けることができ又は丸く巻くことができるディスプレイの場合、要件としての典型的な厚さは、２００ミクロン未満であり、前方照明方式の典型的なディスプレイは、厚さが少なくとも約１ｍｍであろう。かかる厚手のディスプレイは、丸く巻くことができず又は巻き付けることができず、せいぜい丸く巻くことができたとしても不適切である。したがって、前方照明システムで照明されるラッパブル型又はローラブル型で反射型のディスプレイが要望されている。
【０００９】
本システム及び本方法の一目的は、従来型反射型ディスプレイの欠点を解決し、巻き付けることができ且つ（或いは）丸く巻くことができる前方照明方式の反射型ディスプレイを提供することにある。
【課題を解決するための手段】
【００１０】
この目的及び他の目的は、ハウジングと、ハウジングに連結されたスクリーンとを有し、このスクリーンがデータ、例えばテキストをグレースケールでスクリーンの第１の部分上に表示するよう構成され、更に、ハウジングに連結された少なくとも１つの光源を有するディスプレイ装置及び方法によって達成される。光源は、カラーコンテントをスクリーンの第２の部分上に投射するよう構成されている。スクリーンは、ハウジング内に設けられたローラに巻き付け可能であると共に（或いは）丸く巻き取り可能であるのが良い。スクリーンは、電気泳動型且つ（或いは）反射型である。ディスプレイ装置は、光を光源からスクリーンまで案内する光学素子又は光ガイドを更に有するのが良い。さらに、スクリーンで反射した光を検出し、一層の光を照度が減少したスクリーンの部分に差し向ける光学素子が設けられるのが良い。
【００１１】
本システム及び本方法の別の産業上の利用分野は、以下に提供される詳細な説明から明らかになろう。理解されるべきこととして、詳細な説明及び特定の実施例は、ディスプレイ及び方法の例示の実施形態を表わしているが、例示目的に過ぎず、本発明の範囲を限定するものではない。
【００１２】
本発明の装置、システム及び方法の上記の特徴、観点及び利点並びに他の特徴、観点及び利点は、以下の説明、特許請求の範囲及び添付の図面から一層良く理解されよう。
【図面の簡単な説明】
【００１３】
【図１】一実施形態としての巻き出し位置にあるローラブル型ディスプレイ装置の断面図である。
【図２】別の実施形態としてのローラブル型ディスプレイ装置の斜視図である。
【図３】２つの極端な角度をなしてディスプレイの表面から直接反射された光を示す図である。
【図４】ローラブル型ディスプレイ装置の正面図である。
【図５】別の実施形態としてのローラブル型ディスプレイシステムを示す図である。
【図６】丸く巻かれた位置にある図１のローラブル型ディスプレイ装置の断面図である。
【図７】別の実施形態としてのディスプレイ装置を示す図である。
【図８】別の実施形態としてのディスプレイ装置を示す図である。
【図９】別の実施形態としてのディスプレイ装置を示す図である。
【発明を実施するための形態】
【００１４】
或る特定の例示の実施形態に関する以下の説明は、性質上例示に過ぎず、本発明の内容、その用途又は使用を何ら制限するものではない。本発明のシステム、装置及び方法の実施形態に関する以下の詳細な説明では、添付の図面が参照され、添付の図面は、本明細書の一部をなし、これら添付の図面には、開示される装置及び方法を実施できる特定の実施形態が例示として示されている。これら実施形態は、当業者が今開示されるシステム及び方法を実施することができるのに十分詳細に説明され、他の実施形態を利用することができ、又、本発明の精神及び範囲から逸脱することなく構造上及び論理上の変更を行うことができるということは言うまでもない。
【００１５】
したがって、以下の詳細な説明は、限定的な意味に解されてはならず、本発明の範囲は、特許請求の範囲の記載にのみ基づいて定められる。添付の図面の図中の参照符号の最初の数字は、典型的には、図番に一致しており、ただし、多数の図面に見える同一のコンポーネントは、同一の参照符号で示されている。さらに、分かりやすくする目的で、周知の装置、回路及び方法に関する詳細な説明は、本発明の説明を分かりにくくしないよう省かれている。
【００１６】
図１は、ローラ１２０を収容したハウジング１１０を有する丸く巻くことができる、即ちローラブル型のディスプレイ装置１００の断面図であり、フレキシブル又はローラブル型ディスプレイ１３０がローラ１２０に丸く巻き付けられる。図１は、ローラブル型ディスプレイ１３０を剛性又は半剛性材料のカバー又はフレーム上に巻き出された伸長位置で示している。カバー又はフレーム１４０は、ハウジングを閉鎖位置で覆うために例えばヒンジによりハウジング１１０の一方の側に可動的に取り付け可能である。カバー又はフレーム１４０は、閉鎖位置においてハウジング１１０に設けられた相手側のユニットに対してロック関係をなすラッチを有するのが良く、例えばラップトップ型コンピュータの可動又は傾動可能なディスプレイと同様、任意所望の傾斜角θまで開放位置に動くことができ、又は回転可能である。開放位置でカバー１４０上に巻き出されると、ローラブル型ディスプレイ１３０を照明する少なくとも１つの光源１５０が、ハウジング１１０に設けられている。図１は、光源１５０からの照明光を破線１６０として示すと共にローラブル型ディスプレイスクリーン１３０を見る人１６５を示している。
【００１７】
図２は、ローラブル型ディスプレイ装置２００の斜視図であり、この場合、ローラブル型ディスプレイ１３０の照明光線１６０が、ハウジング１１０の遠くのコーナ部（ディスプレイ１３０に関して）の近くで２つの場所２１０，２２０から出ている。２つの光源を各場所２１０，２２０のところに設けるのが良い。変形例として、単一の光源２３０（例えば、２つの場所２１０，２２０相互間、例えば実質的にこれらの中央に位置している）を、光源２３０からの光の出口場所２１０，２２０まで案内する２つの光ガイド２４０，２４２と一緒に用いても良い。ディスプレイ１３０を２つの光出口場所２１０，２２０又は光源から照明することにより、ディスプレイ装置１００を作動させるときのユーザ１６５の手又は指の影で覆われる恐れが無くなる。
【００１８】
ディスプレイの蓋に設けられた２つの光源で照明される従来型ディスプレイは、ナカムラ（Nakamura）に付与された米国特許第６，３８０，９２１号明細書に記載され、キーボードを照明するためにディスプレイに設けられた光源を有する他の従来型ディスプレイ装置は、ヒュッピ（Huppi）に付与された米国特許第６，７７６，４９７号明細書及びハンター（Hunter）名義の国際公開第０２／１７６８３号パンフレットに記載されており、これら特許文献の各々を参照により引用し、その記載内容全体を本明細書の一部とする。
【００１９】
発光ダイオード（ＬＥＤ）が、所望の照明光及び（又は）着色イメージ（カラーイメージ）を提供すると共に比較的小さなサイズ及び（又は）軽い重量をもたらすのに特に好適である任意の光源を用いることができる。さらに、ＬＥＤは、イメージ及び（又は）光属性が変化する（例えば、色彩、強度、色相、飽和度及び他の属性が変化する）光をもたらすと共に代表的には種々の光属性の制御及び調節を行うための電子駆動回路を有するよう容易に構成できる。当然のことながら、ＬＥＤは、組み合わせ状態で任意所望の色の画素（ピクセル）を提供し又は形成するサブピクセルと関連した個々に制御可能な赤色（Ｒ）、緑色（Ｇ）及び青色（Ｂ）ＬＥＤを有するのが良く、この場合、画素は、ＲＧＢ若しくはカラーイメージを形成し又は任意所望の色、強度等を持つ照明光をもたらす。
【００２０】
ディスプレイ１３０が装置本体又はハウジング１１０と鈍角θをなして装置１００から巻き出された場合良好な照明が達成されることは注目されるべきである。この角度θは、光がディスプレイ１３０の表面からスペクトル反射されることがないよう選択されるべきである。
【００２１】
典型的には、光線と照明された表面との間の角度が浅い又は小さい場合、一層の光が直接反射され、かくしてディスプレイ表面から失われる（例えば、見る人の観察範囲に無い部分に向かって反射される）。例えばスペクトル反射による光の損失は、ディスプレイの透明な被膜に起因している場合があり、透明な被膜は、典型的には、Ｅインクの場合と同じほど光を「完全に」拡散する散乱体ではない。これは、光源３１０がディスプレイ表面３２０を照明している図３に概略的に示されている。１つの光線３３０が、４０°の角度αをなして表面３２０に入射し、別の光線３４０が、１０°の角度βをなして入射している。４０°の角度では、反射に起因して約±５％の損失（垂直平面内ではこのうちの９７％）が生じ、１０°では、反射に起因して約±４０％の損失（垂直平面内ではこのうちの７０％）が生じる。
【００２２】
スペクトル反射によるかかる光損失は、制御可能な且つ（或いは）可動のレンズを含む光学素子及び（又は）スクリーンから反射された光を検出し、望ましくない反射、例えばスペクトル反射が生じ、かくして、損失が最も高い又は他のスクリーン領域よりも高いディスプレイスクリーン１３０の部分に一層の光を送る検出器２５０，２６０、例えば２つの場所２１０，２２０を用いることによって補償できる。かかる光学素子、コントローラ及び検出器は、点光源からの立体角が狭い領域にわたって拡げられるので光源の近くに位置するディスプレイの部分が一平方ミリメートル当たり多くの光を受け取るという単純な事実を補償するためにも使用できる。正確に偏光された光を用いることにより望ましくない反射又はスペクトル反射を減少させることができる。したがって、光源の頂部に設けられた偏光フィルタ又はディスプレイの頂部に施された反射防止膜は、見る人の眼に直接入る表面からの反射光の一部を無くす一解決策である。変形例として、偏光フィルタよりも効率の高い光路中に位置する光源又は光学素子を用いると、光について好ましい偏光を生じさせることができる。
【００２３】
上述したような照明システムを備えるローラブル型ディスプレイは、本質的に、光を拡散反射するディスプレイ効果に特に適しており、例えば、Ｅインク・コーポレイション（E ink Corporation）又はＳｉＰｉｘイメージング・インコーポレイテッド（SiPix Imaging Inc）から入手できる電気泳動型ディスプレイである。１つの理由は、拡散反射率が入射光の角度に対して寛容であるということにある。
【００２４】
ローラブル型ディスプレイ１３０を白色光で照明することに加えて、光源１５０，２３０は、追加的に又は代替的に、着色照明光をもたらすと共に着色イメージを投射することができる。着色光源１５０，２３０は、前方照明システムを用いた場合、ディスプレイ１３０又はその部分を照明する互いに異なる色を提供することができる。特に興味のある用途としては、任意所望の色をもたらす制御可能な光源、例えば光源１５０，２３０のうちの少なくとも一方又は各々に赤色、緑色及び青色ＬＥＤを有することができるＬＥＤの使用が挙げられ、この場合、例えば、ＲＧＢ  ＬＥＤは、任意所望の色の画素（ピクセル）をもたらすサブピクセルを形成する。照明及び（又は）カラーイメージの投射のためのＬＥＤのアレイを設けるのが良く、この場合、ＬＥＤ又は画素のアレイは、カラーイメージを形成する。
【００２５】
光源１５０，２３０の色を変化させると、ディスプレイ１３０の色は、アプリケーション又はアプリケーション内のコンテキストに応じて、黒色及び白色を含む任意の色に変化する。さらに、イメージをローラブル型ディスプレイ１３０上に投射することができる着色されると共にセグメント化され又はピクセル化された光源１５０，２３０を用いた場合、ディスプレイの互いに異なる領域を互いに異なる色で照明することが可能である。ＬＥＤアレイ１５０，２３０のセグメント化（セグメンテーション）又はピクセル化がディスプレイ１３０の画素構造体よりも広い場合、ディスプレイの互いに異なるセグメントは、アプリケーションコンテキスト（例えば、赤色及び黒色で表わされた広告）に応じて、互いに異なる色を呈することができる。
【００２６】
光源１５０，２３０のピクセル化がディスプレイ１３０のピクセル化にマッチしている場合、光源１５０とディスプレイの組み合わせによりフルカラーイメージを作り出すことができる。例えば、ディスプレイ１３０は、グレーレベルを生じさせることができ、光源１５０，２３０は、色彩を生じさせることができる。さらに、ディスプレイ１３０は、グレーレベルを生じさせることができる一方で、フルカラープロジェクタとして構成された光源１５０，２３０によってカラーイメージを生じさせてこれらをディスプレイ１３０上に又はその部分部分上に投影することができる。この場合、ローラブル型ディスプレイ１３０は、グレースケールモードで一層多くのグレーレベル又は広い動的範囲を生じさせることができ、しかも、光源１５０，２３０からディスプレイ１３０上に投射されたカラーイメージを表示する投射モードに切り換え可能である。
【００２７】
別のモードは、グレースケールと投射モードの組み合わせを含む場合がある。これは、例えば図４に示されているように、グレースケール方式のローラブル型ディスプレイ１３０を用いて黒色及び白色又はグレースケールテキストが１つのディスプレイ部分４１０に表示され、他方、カラーイメージが光源１５０，２３０からローラブル型ディスプレイ１３０の別の部分４２０上に投射される良好なディスプレイを考慮に入れている。ローラブル型ディスプレイ１３０は、手動で（ユーザ入力及びユーザインタフェース５３５からの選択に応答して）か、自動的に例えばローラブル型ディスプレイ装置１００，２００の検出器又はプロセッサ５１０（図５）による、表示されているコンテント又はデータ、例えば黒色及び白色又はグレースケール（グレースケールで表示されるべき）テキスト（若しくはイメージ）又はカラーの（カラーで表示されるべき）イメージ（若しくはテキスト）の形式の検出時かのいずれかに、種々のモード相互間で切り換え可能である。プロセッサ５１０は、コンテントがテキスト、カラーイメージ又はこれら両方の組み合わせ並びに種々の形式のコンテントの場所を含んでいるかどうかを判定するためにコンテントを検出するよう構成（コンフィグ）されているのが良い。コンテントの分析及び検出に基づいて、プロセッサ５１０は、最適なディスプレイモードを自動的に選択するよう構成されているのが良い。コンテント分析及び文字及び（又は）イメージの検出は、周知であり、例えば、ディミトロバ（Dimitrova）に付与された米国特許第６，７１４，５９４号明細書及びネスバドバ（Nesvadba）に付与された米国特許出願公開第２００４／０１６８２０５号明細書に記載されており、これら特許文献の各々を参照により引用し、その記載内容全体を本明細書の一部とする。
【００２８】
図５は、ローラブル型ディスプレイのディスプレイシステム略図５００を示している。ディスプレイシステム５００は、任意形式のリンク、例えばワイヤード又はワイヤレスリンクを介してコンテント源５２０に動作的に結合されたプロセッサ５１０、メモリ５３０、ユーザインタフェース５３５、ローラブル型ディスプレイスクリーン１３０及び少なくとも１つの制御可能な光源１５０を有している。ユーザインタフェース５３５としては、キーボード又はキー、マウス等が挙げられる。コンテント源５２０からのコンテント５４０は、ライブであり又は記録され、例えば、ブロードキャスタによりブロードキャストされ又はインターネットから受け取られる場合のあるテキスト、映像及び（又は）音声コンテントであるのが良い。コンテント源５２０は、別のメモリを更に有するのが良く、この別のメモリは、メモリ５３０として、コンテント５４０及び他のデータが格納され又は記録される任意適当な形式のメモリであって良く、かかるメモリとしては、ネットワーク、ローカル若しくはワイドエリアネットワーク、例えばインターネットを介してアクセス可能な遠隔メモリ若しくはシステム２００のローカルメモリ、例えばハードドライブ又は例えばＤＶＤを含むリムーバブルメモリが挙げられる。
【００２９】
コンテント５４０を格納するメモリは、同一のメモリ５３０であっても良く、或いは、メモリ５３０に加えて設けられる別のメモリであっても良い。少なくとも１つのメモリ５３０は、プロセッサ５１０をこれが本発明のシステムに従ってオペレーション動作を実行するよう構成するためにプロセッサ５１０によってアクセス可能なアプリケーションデータ及び他の所望のデータを格納することができる。オペレーション動作としては、コンテント５４０を表示するようディスプレイ１３０を制御すること（その処理、例えばディスプレイ１３０上に表示可能に映像信号を復号して生じさせること）が挙げられ、この場合、コンテント５２０のテキスト部分は、グレースケール方式のスクリーンディスプレイ１３０によって表示され、他方、コンテント５２０のイメージ部分は、例えば図４に示されているようにディスプレイスクリーン１３０の適当な部分４１０，４２０に設けられた光源１５０によってディスプレイ１３０上に投射される。プロセッサ５１０は又、制御可能な光学素子、レンズ及び検出器２５０，２６０と組み合わせ状態で、スクリーン１３０の照明領域を検出し、光源１５０を制御して照度が減少しているスクリーン１３０の部分に一層の光を差し向けるよう構成できる。
【００３０】
明らかなこととして、コンテント源５２０のメモリ、メモリ５３０、ディスプレイスクリーン１５０及び（又は）光源１５０は、全て又は一部が、単一の（完全に又は部分的に）一体化されたユニット、例えば図１に示すディスプレイ装置１００の一部であっても良く、かかるディスプレイ装置は、ディスプレイを備えた任意の装置、例えばローラブル型ディスプレイ装置、電話、例えばクラムシェルホン（clamshell phones）、電気泳動型ディスプレイ、携帯型情報端末（ＰＤＡ）を含む反射型ＬＣディスプレイを備えた装置、テレビジョン、コンピュータシステム又は他の電子装置であって良い。さらに、単一装置内に組み込まれる代わりに、プロセッサは、１つの電子装置又はハウジングと取り付け可能なディスプレイ装置１００との間に分散配置されても良い。
【００３１】
本発明の方法は、コンピュータソフトウェアプログラムによって実行されるのに特に適しており、かかるプログラムは、上述すると共に（或いは）本発明によって想定される個々のステップ又は動作のうちの１つ又は２つ以上に対応したモジュールを含む。かかるプログラムは、当然のことながら、コンピュータにより読み取り可能な媒体、例えばインテグレーテッドチップ、周辺装置又はメモリ、例えばメモリ５３０又はプロセッサ５１０に結合され又はプロセッサ５１０によってアクセス可能な他のメモリの状態で具体化できる。
【００３２】
コンピュータにより読み取り可能な媒体及び（又は）メモリ５３０及び（又は）コンテント源５２０と関連していて、コンテント５４０を格納するメモリは、任意の記録可能な媒体（例えば、ＲＡＭ、ＲＯＭ、リムーバブルメモリ、ＣＤ‐ＲＯＭ、ハードドライブ、ＤＶＤ、フロッピーディスク又はメモリカード）であって良く、或いは、伝送媒体（例えば、光ファイバを有するネットワーク、ワールドワイドウェブ（ＷＷＷ：world-wide web）、ケーブル、時間依存性多重アクセスを用いたワイヤレスチャンネル、符号分割多重アクセスを用いたワイヤレスチャンネル又は他の無線周波チャンネル）であっても良い。コンピュータシステムに用いられるのに適した情報を格納すると共に（或いは）伝送することができるような、知られている又は開発される任意の媒体をコンピュータにより読み取り可能な媒体及び（又は）メモリとして用いることができる。
【００３３】
追加のメモリも又使用することができる。コンテント５４０を格納したコンピュータにより読み取り可能な媒体、メモリ５３０及び（又は）任意他のメモリは、長期メモリ、短期メモリ、長期メモリと短期メモリの組み合わせであって良い。これらメモリは、本明細書において開示する方法、演算動作及び機能を実行するようプロセッサ５１０を構成する。メモリは、分散型又はローカル型であって良く、追加のプロセッサが設けられる場合のあるプロセッサ５１０も又、分散型であっても良く、或いは特異型であっても良い。メモリは、電気メモリ、磁気メモリ若しくは光メモリ又はこれら形式若しくは他形式のストレージ装置の任意の組み合わせとして具体化できる。さらに、「メモリ」という用語は、プロセッサによりアクセスされるアドレス指定可能空間中のアドレスから読み取り可能であり又はかかるアドレスに書き込み可能である情報であればどんな情報でも含むものとして十分広義に解釈されるべきである。この定義により、ネットワーク上の情報は、依然としてメモリ５３０又は例えばコンテント５５０が格納されているコンテント源５２０と関連したメモリ内に依然として存在する。というのは、プロセッサ５１０は、本発明に従って動作可能にネットワークから情報を取り出すことができるからである。
【００３４】
プロセッサ５１０は、光源１５０，２３０を制御する制御信号を出すことができると共に（或いは）ディスプレイスクリーン１３０から反射された光の検出に応答して、制御可能なＬＥＤ及び（又は）可動レンズ及び光学素子２５０，２６０を制御して所望の光又はイメージをディスプレイスクリーン１３０の所望の場所に出すための動作を実行することができ、かかる動作としては、一様に照明されたスクリーン又はその部分部分を提供するために光損失又は反射迷光が最も多いディスプレイスクリーン１３０の部分に一層の光を送ることが挙げられる。
【００３５】
プロセッサ５１０は、特定用途向け集積回路であっても良く、汎用集積回路であっても良い。さらに、プロセッサ５１０は、本発明に従って実行可能な専用プロセッサであっても良く、或いは、多くの機能のうちの１つだけが本発明に従って実行可能に動作する汎用プロセッサであっても良い。プロセッサ５１０は、プログラムの一部、多数のプログラムセグメントを利用して実行しても良く、或いは、専用又は汎用集積回路を利用したハードウェア装置、例えば復号器、復調器又はレンダラー、例えばＴＶ、ＤＶＤプレーヤ／レコーダ、ＰＤＡ、携帯電話等であって良い。
【００３６】
任意形式のプロセッサ、例えば専用プロセッサ又は共用プロセッサを用いることができる。プロセッサは、マイクロプロセッサ、中央処理装置（ＣＰＵ）、ディジタル信号プロセッサ（ＤＳＰ）、ＡＳＩＣ又は任意他のプロセッサ若しくはコントローラ、例えばディジタル光学装置又は同一の機能を実行するアナログ電気回路を含み、電子技術及びアーキテクチャを採用するのが良い。プロセッサは、代表的には、例えばソフトウェア制御下にあり、ソフトウェア及び他のデータ、例えばユーザの好みを格納したメモリを有し又はかかるメモリと通信する。プロセッサは、周辺光を関連のディスプレイイメージ領域上に表示された映像情報、例えばスクリーンの縁部の付近に表示されたコンテントに関連づけるよう構成される。
【００３７】
プロセッサは、光源１５０の直接的又は間接的制御を可能にする任意のインテリジェント装置を更に含むのが良く、その結果、光源から作られた出力光の性質が変化してカラーイメージをスクリーン１３０上に投射すると共に（或いは）任意所望の光属性を備えた照明光を提供するようにし、かかる光属性としては、色彩、色相、飽和度、強度又は他の測光特性、例えばスペクトル反射特性、再帰反射特性等が挙げられる。
【００３８】
図６は、提案した照明システムを備えるローラブル型ディスプレイ装置１００を示しており、この場合、ディスプレイ（図１に示されている１３０）は、ハウジング１１０内に丸く巻かれ、光源１５０は、オン状態にある。これにより、見る人１６５にとって良好なビジビリティを提供するために、他の物体、例えば１枚の紙又はペーパ６１０又は任意他の物体又は装置、例えば携帯電話、ＰＤＡ等の照明が可能である。
【００３９】
図７〜図９は、別の実施形態としてのディスプレイ装置を示している。具体的に説明すると、図７は、ディスプレイハウジング７２０内に丸く巻くことができ又はディスプレイハウジング７２０に巻き付けることができるディスプレイ７１０を有するディスプレイ装置７００を示している。ディスプレイ７１０を照明し又はイメージをディスプレイ７１０の部分上又はこのディスプレイ全体上に投射するために光源７３０，７３５が設けられている。図７は、ディスプレイハウジング７２０から水平に延びるディスプレイ７１０を示しているが、理解されるべきこととして、ディスプレイ７１０は、光源７３０，７３５によるディスプレイ７１０上への良好な照明又はイメージ投射をもたらすために図１に示されているように任意所望の角度θをなしてディスプレイハウジング７２０に対して傾動可能である。
【００４０】
図８は、関連のハウジング８３０，８４０を備えた２つの丸く巻くことができ又は巻き付け可能なディスプレイ８１０，８２０を有するディスプレイ装置８００を示しており、ハウジング８３０，８４０は、任意の可動手段８５０、例えばヒンジ及び（又は）ハウジング８３０，８４０の運動及び任意所望の位置へのこれらハウジングの位置決めを可能にする柔軟性及び（又は）弾性材料のバンド、例えば金属バンド又は非金属バンド、例えば軟質プラスチックのバンドによって可動的に連結される。１つ又は２つ以上の光源８６０，８７０を各ハウジング８３０，８４０に設けると、他方のハウジングと関連したディスプレイを照明すると共に（或いは）かかるディスプレイ上にイメージを投射することができる。例えば、光源８６０は、ディスプレイ８２０を照明し、光源８７０は、ディスプレイ８１０を照明する。
【００４１】
図９は、ハウジング９２０の一部分から延びるローラブル型ディスプレイ９１０及び入力装置、例えばハウジング９２０の別の部分から延びるキーボード９３０を有する別のディスプレイ装置９００を示している。また、ディスプレイ９１０を照明すると共に（或いは）イメージ９２５をディスプレイ９１０上に投射するために少なくとも１つの光源がハウジング９２０に設けられており、この場合、２つの光源９４０，９５０が、図９に示されている。図９は又、ディスプレイ９１０を巻き出し又は伸長位置に保持する伸長可能な支持構造体９６０を示している。
【００４２】
変形例として、光源１５０，２３０，７３０，７３５，８６０，８７０，９４０，９５０を閉鎖位置と開放位置との間で回動可能なアームの頂部に取り付けられても良く、この場合、光源は、光をスクリーンに投射してディスプレイを照明すると共に（或いは）イメージをディスプレイ上に投射する。当然のことながら、理解されるべきこととして、上述の実施形態又はプロセスのうちの任意の１つを１つ又は２つ以上の他の実施形態又はプロセスと組み合わせると、特定のパーソナリティを持つユーザを発見してマッチングさせ、そして適切な助言を提供する上で更に一層の改善を提供することができる。
【００４３】
最後に、上記説明は、本発明の例示に過ぎず、特許請求の範囲に記載された本発明を特定の実施形態又は実施形態の特定の群に限定するものと解釈されてはならない。かくして、本発明をその特定の例示の実施形態に関して特に詳細に説明したが、当業者であれば、次の特許請求の範囲に記載された本発明の広く且つ意図した精神及び範囲から逸脱することなく、多くの改造例及び変形実施形態を想到できることも又理解されるべきである。したがって、本明細書及び図面は、例示として解釈されるべきであり、特許請求の範囲に記載された本発明の範囲を限定するものではない。
【００４４】
原文の特許請求の範囲（請求項）の解釈にあたり、次のことが理解されるべきである。
ａ）“comprising”という単語は、所与の請求項に記載された要素又は動作の存在以外の要素又は動作の存在を排除するものではない。
ｂ）要素の前に位置する“ａ”又は“ａｎ”という単語は、かかる要素が複数存在することを排除するものではない。
ｃ）請求項に記載された参照符号は、本発明の範囲を限定しない。
ｄ）幾つかの“means”は、同一のアイテム又はハードウェア若しくはソフトウェアにより具体化される構造又は機能によって表される場合がある。
ｅ）開示した要素の中には、ハードウェア部分（例えば、別個の電子回路及び一体型電子回路を含む）、ソフトウェア部分（例えば、コンピュータプログラミング）及びこれらの任意の組み合わせで構成される場合がある。
ｆ）ハードウェア部分は、アナログ部分とディジタル部分の両方又はこれらのうち一方で構成される場合がある。
ｇ）開示したデバイス又はかかるデバイスの部分の中には、別段の指定が無い限り、互いに組み合わすことができ又は別の部分に分離できる。
ｈ）動作又はステップの特定のシーケンスは、別段の指定が無い限り、必要ではないことが意図されている。
【図１】
0005502484.tif 000002
【図２】
0005502484.tif 000003
【図３】
0005502484.tif 000004
【図４】
0005502484.tif 000005
【図５】
0005502484.tif 000006
【図６】
0005502484.tif 000007
【図７】
0005502484.tif 000008
【図８】
0005502484.tif 000009
【図９】
0005502484.tif 000010